(57)【要約】  【課題】  小さい乳房をボリュームアップし、その状態を維持する。  【解決手段】  左右カップ部のないブラジャー１０であって、土台布１２と左右脇側布１３とで上縁を除く乳房外輪に沿うカップ部周縁１１を形成し、左右のカップ部周縁１１の前中央側端部に第一引張帯１５、１６を、脇側端部に第二引張帯１７、１８を連結し、左の第一、第二引張帯１５、１７を左リング２１に、右の第一、第二引張帯１６、１８を右リング２２に共に通した後、左右第一引張帯１５、１６同士を第一、第二止環２３、２４を介して伸縮可能に連結すると共に、左右第二引張帯１７、１８を背面布１４と連結して左右肩紐とし、上記第二止環２４を移動させて左右第一引張帯１５、１６間の寸法を縮めると左右のリング２１、２２を介して左右第二引張帯１７、１８も前中央側に引っ張られ、カップ部周縁１１が縮径して乳房の肉を前方へ絞って押し出す構成としている。  【選択図】  図４
2005139563.tif 000002
【特許請求の範囲】
【請求項１】
左右の乳房を覆うカップ部が無く、乳房の外輪に位置させるカップ部周縁を縮径可能として乳房の肉を前方へ絞って押し出すブラジャーであって、
左右の乳房の間の前中央部、下部土台部および脇側部で、乳房の上縁を除く外輪に沿うカップ部周縁を形成し、
左右の上記カップ部周縁の前中央側の端部に夫々第一引張帯を連結すると共に、脇側端部に夫々第二引張帯を連結し、
左右の上記第一引張帯をそれぞれ左右のリングに通した後に該左右の第一引張帯同士を伸縮手段を介して連結すると共に、左右の上記第二引張帯をそれぞれ左右の上記リングに通した後に背面布と連結して左右肩紐とし、
上記伸縮手段により左右の第一引張帯間の寸法を縮めることにより上記第一、第二リングを介して上記第二引張帯を前中央側に引っ張り、上記カップ部周縁を縮径させる構成としていることを特徴とするブラジャー。
【請求項２】
上記左右のカップ部周縁の脇側周縁に、ワイヤーあるいは樹脂製ボーンからなる第二芯材を封入した芯材封入布を取り付け、該芯材封入布の上端を上記第二引張帯に縫着している請求項１に記載のブラジャー。
【請求項３】
上記左右のカップ部周縁の前中心周縁から上記第二芯材と接する位置まで延在するワイヤーあるいは樹脂製ボーンからなる第一芯材を封入した芯材封入布を取り付け、該芯材封入布の上端を上記第一引張帯に縫着している請求項２に記載のブラジャー。
【請求項４】
上記左右の第一引張帯同士の伸縮手段は、左右いずれか一方の第一引張帯の先端環状部を第一止環に通して連結し、左右いずれか他方の第一引張帯は第二止環を通した後に上記第一止環を通して折り返し、その先端環状部を第二止環に通して連結し、
上記第二止環の位置を移動して伸縮させる構成としている請求項１乃至請求項３のいずれか１項に記載のブラジャー。
【請求項５】
上記前中央部は非伸縮性布で形成すると共に、脇側部は伸縮性布で形成している請求項1乃至請求項４のいずれか1項に記載のブラジャー。
【請求項６】
脇側部を構成する脇側布と、背面部を構成する背面布とは脇線で縫着し、該縫着部の上下長さは７０〜１５０ｍｍとし、かつ、背面中央へと延在する上記背面布の最小上下長さは４０〜１１０ｍｍとして幅広としている請求項１乃至請求項５のいずれか1項に記載のブラジャー。
【請求項７】
上記脇側布と背面布の脇線に沿う縫着部に、幅１〜２ｃｍの芯材を配置している請求項６に記載のブラジャー。
【請求項８】
乳癌生検用としている請求項１乃至請求項７のいずれか1項に記載のブラジャー。
【請求項９】
上記カップ周縁部に囲まれた開口部分にカップ布が着脱自在に取り付けられる構成としている請求項１乃至請求項７のいずれか１項に記載のブラジャー。
【発明の詳細な説明】
【技術分野】
【０００１】
本発明は、ブラジャーに関し、特に、乳癌生検の被検者が着用して乳房を前方に絞り出すように突出させ、乳房が小さい場合にも乳房内部の目的位置に側方から細胞吸引用の針を容易に刺入して細胞を吸引出来るようにするものである。
【背景技術】
【０００２】
乳癌等の乳腺疾患の診断方法として、従来より広く一般的に行われてきた視触診は、乳房を手で触り、発見した病変を切開手術により取り出す方法であるが、手で触って分からないほどの小さな早期癌を発見できない点に問題があった。
また、視触診によって的を絞るため、切開場所や取り出す細胞を誤ることもあるうえ、切開手術を行うと細胞の良性悪性を問わず縫合が必要となり、場合によっては入院を要することも被検者の負担となっていた。
【０００３】
そこで、最近では、マンモグラフィや超音波を使ったマンモトーム生検が注目されている。このマンモトーム生検は、マンモグラフィや超音波画像で生体内部を確認しながら細胞吸引用の細い針（プローブ）を乳房に刺入れて細胞を吸引する方法である。
このマンモトーム生検によれば、病変位置をはずすことなく、乳房に大きな傷をつけずに正確に採取することができる。特に、超音波画像による診断では５ｍｍより小さなしこりの発見が困難であるのに対して、２〜３ｍｍ程度の非常に小さなしこりでも発見できるマンモグラフィが重視されている。
【０００４】
マンモトーム生検装置１は図６および図７に示すように、フィルムを納めた台２と透明なプラスチック板３とで、乳房を上下、左右、斜めなどの様々な方向から挟み込み、平らに圧迫してＸ線撮影し、このＸ線画像を見て病変の位置を確認しながら、平らに圧迫された乳房に針４を刺して細胞を採取している。
其の際、圧迫された乳房が標本採取に必要な厚みを有さない場合は、針が突き抜けてしまい、細胞採取が不可能となる問題があった。この標本採取に必要な厚みとは通常は３センチ以上であり、この厚みに足りない小さな乳房の場合は、乳房の肉を手で寄せ集めて厚みの確保を図るが、検査中に乳房が元の状態に戻ってしまい、3センチ以上の厚みを維持できずに採取不能となっていた。
【０００５】
上記マンモトーム生検時に、乳房を露出させると共に針の刺入れができるように乳房を前方に突き出すように補整するブラジャーは従来提供されていない。
なお、従来、授乳用等のブラジャーでは、乳房を露出できるようにしたブラジャーが提供されている。
例えば、図１０に示すように、実開昭５２−２９５２３号公報（特許文献１）で開示されたブラジャー５は、左右カップ部５ａを、上半部に切欠部５ｂを設けた半カップ形としている。また、図１１に示すように、特開２００１−２５４２０６号公報（特許文献２）で開示されたブラジャー６は、左右カップ部６ａの中央部に開口部６ｂを設け、着用者の乳房の先端部分をこの開口部６ｂから突出可能としている。
【０００６】
上記ブラジャー５やブラジャー６は、単に乳頭部分または乳頭周りを露出させる構成にすぎず、乳房の肉を寄せ集めてボリュームアップを図り保持するものではない。
【０００７】
【特許文献１】実開昭５２−２９５２３号公報
【特許文献２】特開２００１−２５４２０６号公報
【発明の開示】
【発明が解決しようとする課題】
【０００８】
本発明は上記問題に鑑みてなされたもので、主に、小さい乳房でもマンモグラフィを用いたマンモトーム生検を可能にするために、小さい乳房をボリュームアップし、かつ、その状態を維持できるブラジャーの提供を課題としている。
【課題を解決するための手段】
【０００９】
上記課題を解決するために、本発明は、左右の乳房を覆うカップ部がなく、乳房の外輪に位置させるカップ部周縁を縮径可能として乳房の肉を前方へ絞って押し出すブラジャーであって、
左右の乳房の間の前中央部、下部土台部および脇側部で、乳房の上縁を除く外輪に沿うカップ部周縁を形成し、左右の上記カップ部周縁の前中央側の端部に夫々第一引張帯を連結すると共に、脇側端部に夫々第二引張帯を連結し、左右の上記第一引張帯をそれぞれ左右のリングに通した後に該左右の第一引張帯同士を伸縮手段を介して連結すると共に、左右の上記第二引張帯をそれぞれ左右の上記リングに通した後に背面布と連結して左右肩紐とし、上記伸縮手段により左右の第一引張帯間の寸法を縮めることにより上記第一、第二リングを介して上記第二引張帯を前中央側に引っ張り、上記カップ部周縁を縮径させる構成としていることを特徴とするブラジャーを提供している。
【００１０】
上記構成のブラジャーは、左右の上記第二引張帯を十分に引張させた状態で左右の上記第一引張帯を引き寄せ合うことにより、第二引張帯と連結した上記脇側部が中央側に引き寄せられると共に乳房上縁付近に位置する上記第一、第二引張帯が押し下げられるため、カップ部周縁が全体的に縮径し、該カップ部周縁に外輪を囲まれた乳房を前方に押し出し、かつ、その状態を維持することができる。従って、ボリュームが小さい乳房でも、上記ブラジャーを着用すると、乳房全体の肉、さらには、乳房周囲の上部や脇側から寄せ集めた肉を乳房中央に効果的に集中させてボリュームアップした状態を維持できるため、マンモトーム生検の標本採取に必要な厚みを検査時間中に確保することができる。
【００１１】
上記左右のカップ部周縁の脇側周縁に、ワイヤーあるいは樹脂製ボーンからなる第二芯材を封入した芯材封入布を取り付け、該芯材封入布の上端を上記第二引張帯に縫着することが好ましい。
このように乳房の脇側周縁に沿って第二芯材を配置し、該第二芯材を封入した芯材封入布を第二引張帯と縫着することにより、第二引張帯を内側に引き寄せ合ったときに第二芯材が乳房の脇側外輪を押さえながら縮径方向に変形するため、乳房の肉を脇側へ逃がさず、カップ部周縁内にとどめた状態を長時間維持することができる。
【００１２】
さらに、上記左右のカップ部周縁の前中心周縁から上記第二芯材と接する位置まで延在するワイヤーあるいは樹脂製ボーンからなる第一芯材を封入した芯材封入布を取り付け、該芯材封入布の上端を上記第一引張帯に縫着しても良い。
このように、乳房の前中心側周縁から下端にかけて第一芯材を配置し、該第一芯材を封入した芯材封入布を第一引張帯と縫着すると、第一引張帯を第二引張帯と共に縮径方向に引き寄せた時に乳房の前中央側周縁も押さえながら縮径方向に変形するため、乳房の肉を前中心側に逃がさず、カップ部周縁内に止めた状態とすることができる。
また、芯材を乳房外輪の前中心側から下縁の脇側位置まで延在する第一芯材と、該第一芯材と連続して脇側上端縁まで延在する第二芯材と分割すると、これら第一、第二芯材に縮径方向の張力が作用した時に、乳房の下側外輪よりズレないように第一芯材を位置させると共に、乳房の脇側外輪より第二芯材がズレないように位置させ、乳房の肉を前方に寄せ集めながら縮径させることができ、芯材のみが乳房の外輪より浮き上がって縮径されないようにすることができる。かつ、縮径後においても、乳房外輪を押さえ続けるため、検査時間中、必要な乳房のボリュームを維持することができる。
【００１３】
上記左右の第一引張帯同士の伸縮手段は、左右いずれか一方の第一引張帯の先端環状部を第一止環に通して連結し、左右いずれか他方の第一引張帯は第二止環を通した後に上記第一止環を通して折り返し、その先端環状部を第二止環に通して連結し、上記第二止環の位置を移動して伸縮させる構成が好ましい。
上記した所謂ターンバックルの構成とすると、上記第二止環の左右いずれかの片を引っ張るだけで、収縮と伸長とを簡単に行える。
【００１４】
上記前中央部は非伸縮性布で形成すると共に、脇側部は伸縮性布で形成している。
この前中央部は、カップ部周縁の縮径時に変形量の少ない前中央側に位置しているため、該前中央部を非伸縮性布で形成することにより、脇側部の大きな変形につられて位置ずれしたり変形することを防ぎ、脇側から挟み込んだ乳房の肉を前中央側から逃すことなくしっかりと受け止めることができる。また、変形量の多い脇側部を伸縮性布で形成することにより、上記左右の第一引張帯を引き寄せあったときに該脇側部だけをスムーズに引き寄せることができ、上記前中央部に変形や位置ズレを及ぼすことなくカップ部周縁を確実に縮径することができる。
【００１５】
脇側部を構成する脇側布と、背面部を構成する背面布とは脇線で縫着し、該縫着部の上下長さは７０〜１５０ｍｍの範囲とし、かつ、背面中央へと延在する上記背面布の最小上下長さは４０〜１１０ｍｍの範囲として、通常のブラジャーより幅広としている。
このように脇側布と背面布を幅広に形成することにより、これら脇側布および背面布の胴周りへの接触面積を大として、ブラジャーを安定的に支持することができる。
【００１６】
さらに、脇側布と背面布の脇線に沿う縫着部に、幅１〜２ｃｍの芯材を配置していることが好ましい。該芯材は樹脂製に偏平板状のボーンとすることが好ましく、かつ、脇線に沿う縫着部に接する背面布側に上記芯材と並列状態で複数の芯材を配置してもよい。
このように脇線位置に沿って芯材を配置することにより、カップ周縁部を縮径方向に引き寄せる作動時に、ブラジャーの脇線を着用者の脇線位置から位置ずれさせずに安定して保持でき、ブラジャーの位置ずれを確実に防止できる。
【００１７】
上記構成からなブラジャーは、乳房が小さい場合でも、この乳房の肉を集めてボリュームを持たせて前方を絞り出すように突き出させることができる。よって、検査用の針の刺入れが容易にできると共に、針が乳房を突き抜けることもなく、乳癌生検用のブラジャーとして好適に用いられるものである。
【００１８】
さらに、乳癌生検用のブラジャーにかぎらず、例えば、カップ周縁部に囲まれて開口とされた部分に、カップ布が着脱自在に取り付けられる構成としてもよい。
この場合、カップ部周縁部と後付けするカップ布との間に凹凸嵌合させるレール状部材等を取り付けておくと、任意のデザインのカップ布を取り付けることができる。
【発明の効果】
【００１９】
上述したように、本発明に係るブラジャーは、左右の第二引張帯を十分に引張させた状態で左右の第一引張帯を引き寄せ合うことにより、脇側部が引き寄せられてカップ部周縁が縮径し、カップ部周縁内に乳房および乳房周りの肉を寄せ集めて前方に押し出し、乳房をボリュームアップさせることができる。
従って、マンモトーム生検に際してマンモグラフィで乳房を撮影するとき、上記ブラジャーを着用すれば、小さい乳房であってもボリュームアップし、かつ、その状態を維持することができるため、検査中、常に標本採取に必要な乳房の厚みを確保することができる。
【００２０】
また、カップ部周縁の少なくとも脇側周縁に沿ってワイヤーなどの芯材を配置することにより、乳房の脇側の周縁が押さえられ、カップ部周縁から乳房の肉が脇側へ逃げてボリュームダウンすることを防止できる。さらに、該芯材を前中央側と脇側とで分割すると、乳房をマンモグラフィの装置には挟み圧迫したときでも該芯材をバージスラインに沿わせることができる。
【００２１】
さらにまた、前中央部を非伸縮性布で、脇側部を伸縮性布で形成することにより、カップ部周縁の縮径時に、脇側部は中央側にスムーズに引き寄せられる一方、前中央部は所定の位置にとどまり、脇側から寄せ集められた乳房の肉を前中央部で逃すことなく受け止めて、カップ部周縁内に肉を集中させることができる。
【発明を実施するための最良の形態】
【００２２】
以下、発明の実施形態を図面を参照して説明する。
図１乃至図５は、本発明の第１実施形態にかかる乳癌生検用のブラジャー１０を示し、該ブラジャー１０は、左右の乳房を覆うカップ部がなく、上縁を除く乳房の外輪に位置するカップ部周縁１１を縮径可能としている。
【００２３】
即ち、ブラジャー１０は、図１に示すように、左右乳房の間に位置する前中央部Ａと左右乳房の下側に位置する下側部Ｂとを連続的に覆う土台布１２と、乳房の脇側部Ｃを覆う左右の脇側布１３、１３と、左右の背面布１４、１４と、左右の第一引張帯１５、１６と、左右の第二引張帯１７、１８よりなり、上記土台布１２の左右両端に上記脇側布１３、１３を縫着して、前中央側から下縁を通って脇側上端縁までの乳房外輪に沿う上記カップ部周縁１１を左右に一対形成している。
【００２４】
上記カップ部周縁１１に沿った裏側には、図２に示すように、芯材を構成する第一ワイヤー１９ａと第二ワイヤー１９ｂを連続的に取り付けている。詳しくは、上記土台布１２が形成するカップ部中央側周縁１１ａには第一ワイヤー１９ａを封入した第一ワイヤー封入布２０ａを縫着し、上記脇側布１３が形成するカップ部脇側周縁１１ｂには第二ワイヤー１９ｂを封入した第二ワイヤー封入布２０ｂを縫着して、左右のカップ部周縁１１に取り付けるワイヤーを、土台布１２と左右脇側布１３、１３との縫着位置で第一ワイヤー１９ａと第二ワイヤー１９ｂとに分割している。
【００２５】
左右の上記第一引張帯１５、１６は、引張力の強い素材で形成され、図１および図２に示すように、上記土台布１２の上縁１２ａに縫着されると共に、上記第一ワイヤー封入布２０ａ、２０ａの前中央側端部にもそれぞれ縫着されている。このとき、左右の第一引張帯１５、１６は、前中央部ＡでＶ字状となるように、第一左引張帯１５は土台布１２の上縁１２ａから左乳房の上縁に沿って、一方の第一右引張帯１６は土台布１２の上縁１２ａから右乳房の上縁に沿って、それぞれ斜め上方に向けて縫着されている。
【００２６】
また、左右の第二引張帯１７、１８も、引張力の強い上記第一引張帯１５、１６と同一素材で形成され、図１や図２に示すように、左右カップ部周縁１１の脇側端部から上記背面布１４にかけて、左右の脇側布１３、１３の上縁１３ａ、１３ａと左右の上記第二ワイヤー封入布２０ｂ、２０ｂの脇側端部とにそれぞれ一体に縫着されている。
上記第二左引張帯１７は左脇側布１３の上縁１３ａから左乳房の上縁に沿って、一方の第二右引張帯１８は右脇側布１３の上縁１３ａから右乳房の上縁に沿って、それぞれ斜め上方に向けて縫着されている。
【００２７】
上記第一左引張帯１５と第二左引張帯１７とは、左乳房の上方で１つのリング２１に共に通され、同様に、上記第一右引張帯１６と第二右引張帯１８とは、右乳房の上方でリング２２に共に通されている。
【００２８】
上記第一左引張帯１５はリング２１に通した後、その先端を折り返して形成した先端環状部１５ａに第一止環２３を通している。また、上記第一右引張帯１６は、上記リング２２に通した後、第二止環２４に通し、次に上記第一止環２３に通して折り返し、さらに先端を折り返して形成した先端環状部１６ａに上記第二止環２４を通している。これにより、左右の第一引張帯１５、１６は上記第一止環２３によって連結されると共に、上記第二止環２４の移動によって第一右引張帯１６の長さを調節することができるため、つまりは、この第二止環２４を移動させることによって、左右の第一引張帯１５、１６間の寸法を伸縮可能としている。
【００２９】
左右の上記第二引張帯１７、１８は、上記のように左右のリング２１、２２にそれぞれ通された後、第二止環２６、２６に通し、次に左右の背面布１４、１４に縫着された第一止環２５、２５に通して折り返し、さらに先端を折り返して形成した先端環状部１７ａ、１８ａに上記第二止環２６、２６を通している。これにより、左右の第二引張帯１７、１８は、左右の肩を超えて背面側に伸びる左右肩紐を兼ね、第二止環２６、２６の移動によってそれぞれ長さ調節可能としている。
【００３０】
上記土台布１２は非伸縮性布で形成され、上記左右の脇側布１３、１３と左右の背面布１４、１４はいずれも伸縮性布で形成されている。この脇側布１３、１３と背面布１４、１４とは左右の脇線で互いに縫着され、図３に示すように、左右の背面布１４、１４の背面中央側端部に縫着された留め具２７ａ、２７ｂを互いに係止することによって左右の背面布１４、１４を連結する構成としている。
また、図２に示すように、上記土台布１２と、左右の上記脇側布１３と、左右の上記背面布１４、１４との連続する下端縁に沿った裏側には、伸縮性を有する縁テープ３０を連続的に縫着し、左右背面布１４、１４の上端縁に沿った裏側には、細幅で伸縮性を有する縁テープ３１を縫着している。
【００３１】
上記脇側布１３、１３と背面布１４、１４との縫着部Ｈは、上下長さを７０〜１５０ｍｍとし、該縫着部Ｈの裏側には、幅１〜２ｍｍの偏平板状の樹脂製ボーンからなる芯材２８を封入した芯材封入布２９を上下方向全長にわたって縫着している。また、上記背面布１４、１４の上下長さは、脇側を最大として背面中央側に向かって漸次小さくなるよう設定され、その最小上下長さを４０〜１１０ｍｍとしている。
【００３２】
上記構成の乳癌生検用ブラジャー１０は、図４（Ａ）に示すように、上記第二引張帯１７、１８を第二止環２６、２６で長さ調節して十分に引張させたうえで、上記左右の第一引張帯１５、１６が前中央側に互いに近づくように上記第二止環２４、２４の位置を調節すると、リング２１、２２を介して第一引張帯１５、１６と連結された上記第二引張帯１７、１８も前中央側に引き寄せられる。その結果、図４（Ｂ）（右カップ部のみを図示）に示すように、上記第一、第二引張帯１５、１６、１７、１８が、乳房の上縁に食い込むように押し下げられるとともに、該第二引張帯１７、１８に縫着された左右の脇側布１３、１３および左右のカップ部脇側周縁１１ｂ、１１ｂも上方および前中央側に引き寄せられるため、カップ部周縁１１が全体的に縮径して、図５（Ａ）（Ｂ）に示すように、該周縁１１内の乳房の肉が絞られて中央に集中し前方に隆起した状態となる。従って、小さい乳房でも、該ブラジャー１０の着用によってボリュームアップし、かつその状態を継続できるため、マンモグラフィの装置によって圧迫されても標本採取に必要な厚みを確保することができる。
【００３３】
また、上記カップ部周縁１１にはワイヤー１９ａ、１９ｂを取り付けているため、該ワイヤー１９ａ、１９ｂがバージスが押さえて乳房の肉のカップ部周縁１１外への流出を防ぐことができるうえ、第一ワイヤー１９ａと第二ワイヤー１９ｂに分割されているため、マンモグラフィの装置によって乳房が平らに圧迫されるときも、該分割箇所でワイヤーが容易に折れ曲がってバージスに沿いやすく、圧迫された乳房のバージスを押さえ続けて必要なボリュームを維持することができる。
【００３４】
さらに、大きな変形が求められる脇側布１３、１３を伸縮性布で形成しているため、該脇側布１３、１３は第一引張帯１５、１６の引き寄せ合いに応じてスムーズに引き上げられるとともに、その変形が他の部位に及ぼす影響を極小化でき、不適切な位置ずれや変形を防止することができる。また、大きな変形を要しない上記土台布１２を非伸縮性布で形成することにより、脇側布１３、１３によって前中央側に引き寄せられた乳房の肉を逃さず定位置で受け止めることができ、効果的に乳房をボリュームアップさせることができる。
【００３５】
さらにまた、脇側布１３、１３と背面布１４、１４を共に幅広に形成しているため、背面部分や脇部分の贅肉を乳房側に押し出し集めることができるとともに、胴回りへの接触面積が大となるため、ブラジャー１０の着用時の安定感が増す。
【００３６】
図８は第１実施形態の変形例を示し、カップ部周縁部の脇側に沿って樹脂製ボーンからなる第二芯材５０のみを芯材封入布５１に封入して取り付け、第一芯材を無くしている。  さらに、上記実施形態と同様に、脇側布１３と背面布１４との脇線に沿う縫着部に芯材２８を封入した芯材封入布２９を取り付けると共に、芯材２８と隣接させて背面布１４側に２本の芯材５３、５４を平行配置してもよい。
【００３７】
図９は第２実施形態を示し、カップ部周縁１１に囲まれた開口部分にカップ布６０を後付けで着脱自在に取り付けることができる構成としている。
該カップ布６０の下半周縁に沿って断面凸状の係止レール６１を取り付ける一方、カップ部周縁１１に沿って断面凹状の被係止レール６２を取り付けている。
よって、カップ布６０を取り付ける時は係止レール６１を被係止レール６２に嵌合させてスライドしていくことにより、開口部分にカップ布６０を取り付けることができる。
【００３８】
さらに、本発明は上記実施形態に限定されず、例えば、左右の第一引張帯間の寸法を伸縮する伸縮手段は上記ターンバックル方式に限定されず、また、上記背開きタイプのブラジャーに代えて、前開きタイプ、あるいは被りタイプのブラジャーとしてもよい。
【図面の簡単な説明】
【００３９】
【図１】本発明の第１実施形態に係るブラジャーを示す前側正面図である。
【図２】図１に示すブラジャーの前側裏面図である。
【図３】図１に示すブラジャーの展開正面図である。
【図４】（Ａ）（Ｂ）は図１に示すブラジャーを着用して乳房を前方に押し出す作業を示す図である
【図５】図１に示すブラジャーを着用して乳房が前方に押し出された状態を示し、（Ａ）は正面図であり、（Ｂ）は側面図である。
【図６】マンモグラフィおよび該マンモグラフィを用いた乳房の撮影方法を示す図である。
【図７】マンモグラフィを用いたマンモトーム生検の方法を示す概略図である。
【図８】第１実施形態の変形例のブラジャーの要部を示す図面である。
【図９】（Ａ）は第２実施形態のブラジャーの概略図、（Ｂ）は要部の概略図である。
【図１０】従来例の図である。
【図１１】他の従来例の図である。
【符号の説明】
【００４０】
１０  ブラジャー
１１  カップ部周縁
１２  土台布
１３  脇側布
１４  背面布
１５、１６  第一引張帯
１７、１８  第二引張帯
１９ａ  第一ワイヤー
１９ｂ  第二ワイヤー
２１、２２  リング
【図１】
2005139563.tif 000003
【図２】
2005139563.tif 000004
【図３】
2005139563.tif 000005
【図４】
2005139563.tif 000006
【図５】
2005139563.tif 000007
【図６】
2005139563.tif 000008
【図７】
2005139563.tif 000009
【図８】
2005139563.tif 000010
【図９】
2005139563.tif 000011
【図１０】
2005139563.tif 000012
【図１１】
2005139563.tif 000013